【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータユニットでの前記ユーザデータの前記初回の送信に使用されるべき冗長バージョンが固定されている、または予め設定されている、移動端末。
【請求項２】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータユニットのシーケンス番号を示すシーケンス番号フィールドをさらに含む、移動端末。
【請求項３】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータユニットの送信が前記ユーザデータの初回の送信であるか、再送信であるかを示す新規データインジケータフィールドをさらに含む、移動端末。
【請求項４】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータユニットを受信するために受信機に割り当てられた一つまたは複数の物理的無線リソース、または当該プロトコルデータユニットを送信機がそれを用いて送信することになっている一つまたは複数の物理的無線リソースを指示するためのリソース割当てフィールドをさらに含む、移動端末。
【請求項５】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記制御チャネル信号を受信すべき移動端末または移動端末のグループを指示するための移動端末識別子フィールドをさらに含む、移動端末。
【請求項６】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、Ｌ１／Ｌ２制御チャネル信号である、移動端末。
【請求項７】
移動通信システム中で使用される移動端末であって、
前記移動端末へ向けた制御チャネル信号を含む物理的無線リソースのサブフレームを受信するための受信器ユニットと、
受信した前記制御チャネル信号に基づいて、ユーザデータを運ぶプロトコルデータパケットのトランスポートフォーマットと冗長バージョンを判断するための処理ユニットと、
受信した前記制御情報フィールド中で指示された前記プロトコルデータパケットのトランスポートフォーマットと冗長バージョンを使用して、前記プロトコルデータパケットを少なくとも一つの物理的無線リソース上で送信するための送信器ユニットと、を具備し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータパケットが前記ユーザデータの再送信である場合には、前記制御情報フィールドの前記ビットは、前記制御情報フィールドの残りのビットによって指示される情報のタイプを示すフラグを含む、移動端末。
【請求項８】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータユニットでの前記ユーザデータの前記初回の送信に使用されるべき冗長バージョンが固定されている、または予め設定されている、方法。
【請求項９】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータユニットのシーケンス番号を示すシーケンス番号フィールドをさらに含む、方法。
【請求項１０】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータユニットの送信が前記ユーザデータの初回の送信であるか、再送信であるかを示す新規データインジケータフィールドをさらに含む、方法。
【請求項１１】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータユニットを受信するために受信機に割り当てられた一つまたは複数の物理的無線リソース、または当該プロトコルデータユニットを送信機がそれを用いて送信することになっている一つまたは複数の物理的無線リソースを指示するためのリソース割当てフィールドをさらに含む、方法。
【請求項１２】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記制御チャネル信号を受信すべき移動端末または移動端末のグループを指示するための移動端末識別子フィールドをさらに含む、方法。
【請求項１３】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、Ｌ１／Ｌ２制御チャネル信号である、方法。
【請求項１４】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータパケットが前記ユーザデータの再送信である場合には、前記制御情報フィールドの前記ビットは、前記制御情報フィールドの残りのビットによって指示される情報のタイプを示すフラグを含む、方法。
【請求項１５】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記トランスポートフォーマットは、前記プロトコルデータユニットのトランスポートブロックサイズ情報であり、受信した前記制御チャネル信号は、前記移動端末へ割り当てられた一つまたは複数の無線リソースを指示するリソース割当てフィールドをさらに含み、前記判断するステップは、前記リソース割当てフィールドと前記制御情報フィールドに含まれた情報に依存する、方法。
【請求項１６】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記制御チャネル信号は、前記プロトコルデータパケットがユーザデータの再送信であることを示し、前記方法は、前記ユーザデータの前記初回の送信に関連付けされた前記制御チャネルシグナリングが受信できなかった場合に、受信した前記プロトコルデータパケットに対する肯定応答を前記基地局へ送信するステップをさらに含む、方法。
【請求項１７】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記プロトコルデータユニットが再送信である場合に、前記プロトコルデータユニットの再送信を送信または受信するために、前記初回の送信時の制御チャネル信号中で指示された前記プロトコルデータユニットのトランスポートフォーマットを再利用するステップをさらに含む、方法。
【請求項１８】
移動通信システムにおいて使用され、移動端末によって実行される方法であって、
前記移動端末へ向けた制御チャネル信号を含む物理的無線リソースのサブフレームを受信するステップと、
受信した前記制御チャネル信号に基づいて、ユーザデータを運ぶプロトコルデータパケットのトランスポートフォーマットと冗長バージョンを判断するステップと、
受信した前記制御情報フィールド中で指示された前記プロトコルデータパケットのトランスポートフォーマットと冗長バージョンを使用して、前記プロトコルデータパケットを少なくとも一つの物理的無線リソース上で受信または送信するステップと、を有し、
前記サブフレーム中で受信した前記制御チャネル信号は、プロトコルデータユニットのトランスポートフォーマットと冗長バージョンが結合符号化される制御情報フィールドを含み、
前記制御情報フィールドは、その制御情報フィールド中で表現可能なある範囲の数の値を生じさせるある数のビットからなり、前記値のうちの第１のサブセットの値は、前記プロトコルデータユニットのトランスポートフォーマットを指示するために確保され、前記値のうちの第２のサブセットの値は、前記ユーザデータを送信するための冗長バージョンを指示するために確保され、
前記情報ビットは、前記プロトコルデータパケットの初回送信と再送信のために前記制御情報フィールドの情報ビットによって表現される各個別の値に関連付けられる、前記プロトコルデータユニットを送信するために使用されるトランスポートフォーマットと冗長バージョンを示す単一の参照情報に関連付けられる、方法。